(57)【要約】【課題】連結部の連結を外れ難くし、掴み易い胴部を備え、連結部の位置決めを容易にした連結玩具を提供する。【解決手段】連結玩具１の胴部２は、一側に一対の連結アーム５，６の基端５ａ，６ａが接続され、他側には連結軸１０の両端１０ａ，１０ｂが接続されている。一対の連結アーム５，６の先端５ｂ，６ｂに突起８，９が形成され、この突起８，９間が連結軸１０の軸径より狭くなっている。連結軸１０は、略半円状に形成されている。胴部２は略扁平に形成され、扁平面３，４に指掛け凹部３ａ，４ａが形成されている。連結軸１０には、連結した他の連結玩具１の一対の連結アーム５，６の動きを規制するガイド突起１１，１２が設けられている。連結アーム５，６の先端に形成された突起８，９には、他の連結玩具１の連結軸１９を挿通しやすくするためのテーパ８ａ，９ａが形成されている。【選択図】        図１
2004166736.tif 000002
【特許請求の範囲】
【請求項１】
胴部を有し、胴部の一側には一対の連結アームの基端が接続され、胴部の他側には連結軸の両端が接続されており、一対の連結アームの先端に突起が形成され、この突起間が連結軸の軸径より狭くなっていることを特徴とする連結玩具。
【請求項２】
連結軸が略半円状に形成されていることを特徴とする請求項１記載の連結玩具。
【請求項３】
胴部は略扁平に形成され、扁平面に指掛け凹部が形成されていることを特徴とする請求項１又は２記載の連結玩具。
【請求項４】
連結軸には、連結した他の連結玩具の一対の連結アームの動きを規制するガイド突起が設けられていることを特徴とする請求項１、２又は３記載の連結玩具。
【請求項５】
連結アームの先端に形成された突起には、他の連結玩具の連結軸を挿通し易くするためのテーパが形成されていることを特徴とする請求項１乃至４のいずれか１項に記載の連結玩具。
【発明の詳細な説明】
【０００１】
【発明の属する技術分野】
本願発明は、連結していき、首飾り、腕輪等のアクセサリーを形成することができる連結玩具に関する。
【０００２】
【従来の技術】
従来の連結玩具は、球状の胴部を有し、胴部の両側に一対の連結アームの基端が接続されている。一対の連結アームの先端には、突起が形成され、この突起間が連結アームの軸径より狭くなっている（例えば、特許文献１）。この連結玩具は、これの一対の連結アームの突起間を他の連結玩具の一対の連結アームの突起間に押し込むと、互いの連結アームがその素材の弾性に抗して拡開後復元し、他の連結玩具を連結する。このように連結玩具は、多数の連結玩具が連結されて、首飾り、腕輪等のアクセサリーを形成することができる。
【０００３】
【特許文献１】
実開昭５２−５９０９３号公報
【０００４】
【発明が解決しようとする課題】
上記従来の連結玩具は、連結部が一対の連結アームによって形成され、この一対の連結アームが容易に拡開するので、連結が外れ易いという問題点があった。従って、従来の連結玩具の連結によって形成されたアクセサリーは、連結が外れ易いため、紛失し易いという問題点があった。また、従来の連結玩具は、胴部が球状であり、掴み難いため、連結に手間取るという問題点があった。
【０００５】
さらにまた、従来の連結玩具は、連結部の位置決めが難しいという問題点もあった。また、従来の連結玩具は、これの一対の連結アームの突起を他の連結玩具の一対の連結アームの突起間に押し込むと、互いの連結アームがその素材の弾性に抗して拡開して他の連結玩具を連結するが、この押し込み時に、一対の連結アームが拡開せず、基端が折れるという問題点があった。
【０００６】
本願発明は、上記問題点に鑑み発明されたものであって、連結部の連結を外れ難くした連結玩具を提供することを第１の目的とする。また、掴み易い胴部を備え、連結を簡単にした連結玩具を提供することを第２の目的とする。さらに又、連結部の位置決めを容易にした連結玩具を提供することを第３の目的とする。また、一対の連結アームの拡開を容易にして、一対の連結アームの破損を防止できるようにした連結玩具を提供することを第４の目的とする。
【０００７】
【課題を解決するための手段】
本願請求項１記載の連結玩具は、上記第１の目的を達成するため、胴部を有し、胴部の一側には一対の連結アームの基端が接続され、胴部の他側には連結軸の両端が接続されており、一対の連結アームの先端に突起が形成され、この突起間が連結軸の軸径より狭くなっている。
【０００８】
本願請求項２記載の連結玩具は、上記第１の目的を達成するため、上記連結軸が略半円状に形成されている。
【０００９】
本願請求項３記載の連結玩具は、上記第２の目的を達成するため、上記胴部は略扁平に形成され、扁平面に指掛け凹部が形成されている。
【００１０】
本願請求項４記載の連結玩具は、上記第３の目的を達成するため、上記連結軸には、連結した他の連結玩具の一対の連結アームの動きを規制するガイド突起が設けられている。
【００１１】
本願請求項５記載の連結玩具は、上記第４の目的を達成するため、上記連結アームの先端に形成された突起には、他の連結玩具の連結軸を挿通し易くするためのテーパが形成されている。
【００１２】
【発明の実施の形態】
本願発明に係る連結玩具の実施の形態を、図１乃至図４に基づいて説明する。図１は、本願発明に係る連結玩具の一つの実施の形態を示す全体斜視図である。図２は、図１の連結玩具の側面断面図である。図３は、図１の連結玩具の上から見た平面図である。図４は、図１の連結玩具の連結状態を示す斜視図である。
【００１３】
連結玩具１は、胴部２を有する。胴部２の一側には一対の連結アーム５，６の基端５ａ，６ａが接続され、胴部２の他側には連結軸１０の両端１０ａ，１０ｂが接続されている。一対の連結アーム５，６の先端５ｂ，６ｂに突起８，９が形成され、この突起８，９間が連結軸１０の軸径より狭くなっている。連結軸１０は、略半円状に形成されている。
【００１４】
胴部２は略扁平に形成され、扁平面３，４に指掛け凹部３ａ，４ａが形成されている。連結軸１０には、連結した他の連結玩具１の一対の連結アーム５，６の動きを規制するガイド突起１１，１２が設けられている。連結アーム５，６の先端に形成された突起８，９には、他の連結玩具１の連結軸１９を挿通し易くするためのテーパ８ａ，９ａが形成されている。
【００１５】
さらに連結玩具について詳細に説明する。連結玩具１は、可撓性を有する合成樹脂によって一体成形されている。連結玩具１は、胴部２と、胴部２の一側に設けられた一対の連結アーム５，６と、胴部２の他側に設けられた連結軸１０とからなる。胴部２は、略扁平な円盤状に形成され、上下に略平行に略平らな扁平面３，４が形成されている。上の扁平面３の略中央部には、指掛け凹部３ａが形成されている。下の扁平面４の略中央部には、指掛け凹部４ａが形成されている。
【００１６】
胴部２の前側（一側）には、一対の連結アーム５，６の基端５ａ，６ａが接続されている。連結アーム５は、略円形の軸が円弧状に湾曲されて形成され、先端５ｂに突起８が形成されている。連結アーム６も、連結アーム５と同様に、略円形の軸が円弧状に湾曲されて形成され、先端６ｂに突起９が形成されている。一対の連結アーム５，６は、扁平面３，４間で略平行に延びており、先端部が切り欠かれたリング７を形成し、このリング７の内側に後記連結軸１０を挿通する空間７ａが形成される。
【００１７】
上記一対の連結アーム５，６の先端５ｂ，６ｂに形成された突起８，９の隙間は、後記連結軸１０の軸径より狭くなっている。この突起８，９には、他の連結玩具１の連結軸１０を挿通し易くするためのテーパ８ａ，９ａが形成されている。
【００１８】
胴部２の後側（他側）には、連結軸１０の両端１０ａ，１０ｂが接続されている。連結軸１０は、連結アーム５，６の軸径と略同じ軸径によって、半円状に湾曲されて形成され、扁平面３，４間で略平行に延びており、リング１３を形成し、このリング１３の内側に前記連結アーム５，６を挿通する空間１４が形成される。連結軸１０の略中央部には、一対のガイド突起１１，１２が設けられている。ガイド突起１１，１２は、連結軸１０の上部及び下部に設けられている。ガイド突起１１，１２間は、他の連結玩具１の一対の連結アーム５，６の突起８，９を嵌装し、この一対の連結アーム５，６の移動を規制するようになっている。
【００１９】
上記構成の連結玩具１は、胴部２を親指と人差し指で掴むことができる。胴部２は、略扁平に形成されているので、掴み易く、しかも扁平面３，４に指掛け凹部３ａ，４ａが形成されているので、指が指掛け凹部３ａ，４ａに引っ掛かり、滑り難く、誤って落とすことが少ない。
【００２０】
連結玩具１の一対の連結アーム５，６の突起８，９間に、他の連結玩具１の連結軸１０を押し込むと、テーパ８ａ，９ａによって一対の連結アーム５，６が素材の弾性に抗して簡単に拡開し、拡開後連結軸１０が空間７ａ内に挿通することによって、一対の連結アーム５，６が素材の弾性によって元の状態に復帰する。なお、前述したように、指が胴部２の指掛け凹部３ａ，４ａに引っ掛かるので滑らず、押し込む時に力が入り易い。
【００２１】
連結玩具１同士の連結は、一方の連結玩具１の胴部２を一方の手の親指と人差し指で掴み、同様に他方の連結玩具１の胴部２を他方の手の親指と人差し指で掴み、左右に引っ張ることによって、一対の連結アーム５，６が素材の弾性に抗して拡開し、連結軸１０が空間７ａから引き出すことによって、解除することができる。前述したように、連結玩具１は、指が胴部２の指掛け凹部３ａ，４ａに入るので滑らず、引っ張る時にも力が入り易い。
【００２２】
連結玩具１は、一対の連結アーム５，６の突起８，９が、図４に示すように、他の連結玩具１のガイド突起１１，１２間に嵌挿して、位置決めすることができる。従って、連結玩具１を複数連結して、首輪等のアクセサリーを形成した場合、連結玩具１，１同士が絡まったり、所望しない形で連結されることがなく、確実にアクセサリーを形成することができる。
【００２３】
上記実施の形態では、連結軸１０が半円状に湾曲して形成されているが、その形状に限定されるものではなく、矩形状、多角形状等、種々変更することができる。
【００２４】
【発明の効果】
以上説明してきたように、本願請求項１に係る連結玩具は、胴部を有し、胴部の一側には一対の連結アームの基端が接続され、胴部の他側には連結軸の両端が接続されており、一対の連結アームの先端に突起が形成され、この突起間が連結軸の軸径より狭くなっているので、従来のように、胴部の両側に一対の連結アームを設けた連結玩具と比べ、連結が外れ難いという効果がある。
【００２５】
本願請求項２に係る連結玩具は、上記効果に加え、連結軸が略半円状に形成されているので、丈夫であり、外観を損なわないという効果がある。
【００２６】
本願請求項３に係る連結玩具は、上記効果に加え、胴部が略扁平に形成されているので胴部を掴み易く、扁平面に指掛け凹部が形成されているので指掛け凹部に指が引っ掛かり、滑り難く、連結時及び連結解除時に力が入り易く、連結を簡単にすることができるという効果がある。
【００２７】
本願請求項４に係る連結玩具は、上記効果に加え、連結軸に、連結した他の連結玩具の一対の連結アームの動きを規制するガイド突起が設けられているので、連結部の位置決めを容易に行うことができ、連結玩具を複数連結して、首輪等のアクセサリーを形成した場合、連結玩具同士が絡まったり、所望しない形で連結されることがなく、確実にアクセサリーを形成することができるという効果がある。
【００２８】
本願請求項５に係る連結玩具は、上記効果に加え、連結アームの先端に形成された突起に、他の連結玩具の連結軸を挿通しやすくするためのテーパが形成されているので、一対の連結アームの拡開を容易にして、一対の連結アームの破損を防止することができるという効果がある。
【図面の簡単な説明】
【図１】本願発明に係る連結玩具の一つの実施の形態を示す全体斜視図である。
【図２】図１の連結玩具の側面断面図である。
【図３】図１の連結玩具の上から見た平面図である。
【図４】図１の連結玩具の連結状態を示す斜視図である。
【符号の説明】
１  連結玩具
２  胴部
３  扁平面
３ａ  指掛け凹部
４  扁平面
４ａ  指掛け凹部
５  連結アーム
５ａ  基端
５ｂ  先端
６  連結アーム
６ａ  基端
６ｂ  先端
７  リング
７ａ  空間
８  突起
８ａ  テーパ
９  突起
９ａ  テーパ
１０  連結軸
１０ａ  一端
１０ｂ  他端
１１  ガイド突起
１２  ガイド突起
１３  リング
１４  空間
【図１】
2004166736.tif 000003
【図２】
2004166736.tif 000004
【図３】
2004166736.tif 000005
【図４】
2004166736.tif 000006